Podtech/llm-jp-corpus-v4-ja_patent huggingface dataset:
【手続補正書】
【提出日】平成19年5月29日(2007.5.29)
【手続補正１】
【補正対象書類名】明細書
【補正対象項目名】特許請求の範囲
【補正方法】変更
【補正の内容】
【特許請求の範囲】
【請求項１】
主走査方向の長さをＡ、副走査方向の長さをＢとしたとき、Ａ／Ｂ  ＞  １０を満たす画像情報をラインセンサーの結像面上に結像させる画像読取装置に用いられる結像光学系であって、
前記結像光学系は、物体面から順に、複数のオフアキシャル反射面、絞り、複数のオフアキシャル反射面を有し、
前記絞りの中心と前記結像面上に結像された像の中心を通る光線の光路が副走査断面内で少なくても一回交差するように前記オフアキシャル反射面が配置されており、
前記複数のオフアキシャル面の全てのオフアキシャル反射面は、副走査方向のパワーをＰ（ｍｍ−１）、前記オフアキシャル反射面から次のオフアキシャル反射面までの基準軸に沿った間隔をＳ（ｍｍ）とするとき、
｜Ｐ｜Ｓ＜０．５
の条件式を満たすことを特徴とする結像光学系。
【請求項２】
前記光線の交差は、前記絞りよりも物体面側に位置することを特徴とする請求項１に記載の結像光学系。
【請求項３】
前記絞りより物体面側に配置された複数のオフアキシャル反射面の数をＸ、前記絞りより結像面側に配置された複数のオフアキシャル反射面の数をＹとするとき、
0.65＜Ｘ／Ｙ＜1.6
の条件式を満たすことを特徴とする請求項１又は２に記載の結像光学系。
【請求項４】
前記光線の交差は、前記絞りの物体面側と結像面側に位置することを特徴とする請求項１乃至３の何れか一項に記載の結像光学系。
【請求項５】
前記複数のオフアキシャル面の全てのオフアキシャル反射面の主走査方向のパワーは、正であることを特徴とする請求項１乃至４の何れか一項に記載の結像光学系。
【請求項６】
前記画像情報は、中間結像せずにラインセンサーの結像面上に結像されることを特徴とする請求項１乃至５の何れか一項に記載の結像光学系。
【請求項７】
請求項１乃至６の何れか一項に記載の結像光学系と、原稿面上の画像情報を読み取るラインセンサーと、を有することを特徴とする画像読取装置。
【手続補正２】
【補正対象書類名】明細書
【補正対象項目名】００１８
【補正方法】変更
【補正の内容】
【００１８】
請求項１の発明の結像光学系は、
主走査方向の長さをＡ、副走査方向の長さをＢとしたとき、Ａ／Ｂ  ＞  １０を満たす画像情報をラインセンサーの結像面上に結像させる画像読取装置に用いられる結像光学系であって、
前記結像光学系は、物体面から順に、複数のオフアキシャル反射面、絞り、複数のオフアキシャル反射面を有し、
前記絞りの中心と前記結像面上に結像された像の中心を通る光線の光路が副走査断面内で少なくても一回交差するように前記オフアキシャル反射面が配置されており、
前記複数のオフアキシャル面の全てのオフアキシャル反射面は、副走査方向のパワーをＰ（ｍｍ−１）、前記オフアキシャル反射面から次のオフアキシャル反射面までの基準軸に沿った間隔をＳ（ｍｍ）とするとき、
｜Ｐ｜Ｓ＜０．５
の条件式を満たすことを特徴としている。
【手続補正３】
【補正対象書類名】明細書
【補正対象項目名】００１９
【補正方法】変更
【補正の内容】
【００１９】
請求項２の発明は請求項１の発明において、
前記光線の交差は、前記絞りよりも物体面側に位置することを特徴としている。
【手続補正４】
【補正対象書類名】明細書
【補正対象項目名】００２０
【補正方法】変更
【補正の内容】
【００２０】
請求項３の発明は請求項１又は２の発明において、
前記絞りより物体面側に配置された複数のオフアキシャル反射面の数をＸ、前記絞りより結像面側に配置された複数のオフアキシャル反射面の数をＹとするとき、
0.65＜Ｘ／Ｙ＜1.6
の条件式を満たすことを特徴としている。
【手続補正５】
【補正対象書類名】明細書
【補正対象項目名】００２１
【補正方法】変更
【補正の内容】
【００２１】
請求項４の発明は請求項１乃至３のいずれか１項の発明において、
前記光線の交差は、前記絞りの物体面側と結像面側に位置することを特徴としている。
【手続補正６】
【補正対象書類名】明細書
【補正対象項目名】００２２
【補正方法】変更
【補正の内容】
【００２２】
請求項５の発明は請求項１乃至４のいずれか１項の発明において、
前記複数のオフアキシャル面の全てのオフアキシャル反射面の主走査方向のパワーは、正であることを特徴としている。
【手続補正７】
【補正対象書類名】明細書
【補正対象項目名】００２３
【補正方法】変更
【補正の内容】
【００２３】
請求項６の発明は請求項１乃至５のいずれか１項の発明において、
前記画像情報は、中間結像せずにラインセンサーの結像面上に結像されることを特徴としている。
【手続補正８】
【補正対象書類名】明細書
【補正対象項目名】００２４
【補正方法】変更
【補正の内容】
【００２４】
請求項７の発明の画像読取装置は、請求項１乃至６の何れか一項に記載の結像光学系と、原稿面上の画像情報を読み取るラインセンサーと、を有することを特徴としている。
【手続補正書】
【提出日】平成19年3月28日(2007.3.28)
【手続補正１】
【補正対象書類名】特許請求の範囲
【補正対象項目名】請求項１
【補正方法】変更
【補正の内容】
【請求項１】
複数の玄米貯蔵タンクと、この各タンクから排出された玄米を高速で空気搬送する送米ダクトと、この送米ダクトに連結された第１分離器と、この第１分離器の排米口の下に設けられた計量機と、この計量機の下に設けられた混米機と、この混米機の下に設けられた、プールホッパを有する精米機とを備え、前記計量機、混米機及びプールホッパの容量は小さく、かつ、上下方向に直列状に設けられていて、米が自重によって順次、移動できるようになっている精米システム。
【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
複数の遊技台と個別に対応して遊技媒体の貸出処理を行う複数の遊技媒体貸出装置と、各遊技媒体貸出装置と電気的に接続され、各遊技媒体貸出装置から送信される遊技媒体の貸出に関する情報を受信する端末装置とを含む情報提供システムであって、
前記各遊技媒体貸出装置は、
会員として予め登録されている会員遊技客を特定する会員番号が記録された会員番号記録媒体から、当該会員番号をチェックすると共に、遊技媒体の貸出処理を行う遊技媒体貸出手段と、
前記会員番号と、遊技媒体の貸出に関する情報とを前記端末装置に送信する送信手段とを有し、
前記端末装置は、
各会員遊技客が携帯する受信機の識別番号と前記会員番号とを対応付けて記憶する手段と、
遊技台に関する有益情報を格納する格納手段と、
前記遊技媒体貸出装置から送信された会員番号と、遊技媒体の貸出に関する情報とを受信し、当該会員番号から特定される会員遊技客が所定金額分使用したか否かを、遊技媒体の貸出に関する情報を用いて判定する手段と、
前記判定において肯定的な判定がなされた場合、前記会員番号から受信機の識別情報を特定し、前記遊技媒体貸出装置と対応している遊技台に関する有益情報を、前記格納手段から抽出する手段と、
前記特定した識別情報の受信機に対して、前記抽出した有益情報を送信する送信手段とを有し、
前記受信機は、前記送信手段から送信された有益情報を受信して報知する
ことを特徴とする情報提供システム。
【手続補正２】
【補正対象書類名】明細書
【補正対象項目名】０００６
【補正方法】変更
【補正の内容】
【０００６】
本発明に係る情報提供システムは、複数の遊技台と個別に対応して遊技媒体の貸出処理を行う複数の遊技媒体貸出装置と、各遊技媒体貸出装置と電気的に接続され、各遊技媒体貸出装置から送信される遊技媒体の貸出に関する情報を受信する端末装置とを含む情報提供システムであって、前記各遊技媒体貸出装置は、会員として予め登録されている会員遊技客を特定する会員番号が記録された会員番号記録媒体から、当該会員番号をチェックすると共に、遊技媒体の貸出処理を行う遊技媒体貸出手段と、前記会員番号と、遊技媒体の貸出に関する情報とを前記端末装置に送信する送信手段とを有し、前記端末装置は、各会員遊技客が携帯する受信機の識別番号と前記会員番号とを対応付けて記憶する手段と、遊技台に関する有益情報を格納する格納手段と、前記遊技媒体貸出装置から送信された会員番号と、遊技媒体の貸出に関する情報とを受信し、当該会員番号から特定される会員遊技客が所定金額分使用したか否かを、遊技媒体の貸出に関する情報を用いて判定する手段と、前記判定において肯定的な判定がなされた場合、前記会員番号から受信機の識別情報を特定し、前記遊技媒体貸出装置と対応している遊技台に関する有益情報を、前記格納手段から抽出する手段と、前記特定した識別情報の受信機に対して、前記抽出した有益情報を送信する送信手段とを有し、前記受信機は、前記送信手段から送信された有益情報を受信して報知することを特徴とする。
【手続補正３】
【補正対象書類名】明細書
【補正対象項目名】０００７
【補正方法】変更
【補正の内容】
【０００７】
かかる構成からなる情報提供システムを導入した遊技店において、会員遊技客は、何れかの遊技台で遊技を行うに当たり、対応する遊技媒体貸出装置から会員番号記録媒体を用いて遊技媒体の貸出処理を受け、この遊技媒体を用いて遊技を行うこととなるが、所定額分使用した場合、特典としてその遊技台に関する有益な情報が、携帯している受信機を通して報知されるようになっている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
遊技に関する所定の制御を司る制御手段及び電気部品との間で信号を送信又は受信を行うための端子部を具備してなる制御基板と、
前記端子部が露出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続されたケーブルコネクタのコネクタを覆う第１被覆部材を、前記被包部材及び前記相手先部材の双方に係止状態で取付けるとともに、前記第１被覆部材を覆う第２被覆部材を、前記被包部材、前記相手先部材及び前記第１被覆部材のいずれか少なくとも１つに係止状態で取付けたことを特徴とする遊技機。
【請求項２】
遊技に関する所定の制御を司る制御手段及び電気部品との間で信号を送信又は受信を行うための端子部を具備してなる制御基板と、
前記端子部が露出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続されたケーブルコネクタのコネクタを覆うよう構成され、前記相手先部材に係止される略鉤状の第１係止部及び前記被包部材に係止される第２係止部を有する第１被覆部材を、前記第１係止部を前記相手先部材に係止させつつ、前記第２係止部を前記被包部材に係止させることで取付け、
前記第２係止部の係止状態を解除した場合に限り、前記第１係止部の係止状態の解除が許容され、前記第１被覆部材を取外すことができるよう構成され、
少なくとも前記第２係止部の係止状態の解除操作を行えないように、前記第１被覆部材を覆う第２被覆部材を、前記被包部材、前記相手先部材及び前記第１被覆部材のいずれか少なくとも１つに係止状態で取付けることで、前記第１被覆部材及び第２被覆部材を取外し不能としたことを特徴とする遊技機。
【請求項３】
遊技に関する所定の制御を司る制御手段及び電気部品との間で信号を送信又は受信を行うための端子部を具備してなる制御基板と、
前記端子部が露出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続されたケーブルコネクタのコネクタを覆うよう取付けられる第１被覆部材と、前記第１被覆部材を覆うように取付けられる第２被覆部材とを備え、
前記第１被覆部材は、
当該第１被覆部材の取付状態において、少なくとも前記ケーブルコネクタのコネクタの取外し方向側を覆うコネクタカバー本体部と、
前記コネクタカバー本体部から突出し、先端部に略鉤状の第１係止部を有する第１アーム部と、
前記コネクタカバー本体部又は前記第１アーム部から、前記第１アーム部の突出方向と略直交する方向に突出し、先端部に第２係止部を有する第２アーム部とを備え、
前記第１係止部を前記相手先部材に係止させつつ、当該第１係止部を軸にして前記端子部側へ傾動させ、前記第２係止部を前記被包部材に係止させることで、前記被包部材及び前記相手先部材の双方に係止状態で取付けられるとともに、前記第２係止部の係止状態を解除した場合に限り前記第１係止部の係止状態の解除が許容され、取外すことができるよう構成され、
前記第２被覆部材を、前記被包部材、前記相手先部材及び前記第１被覆部材のいずれか少なくとも１つに係止状態で取付け、前記第１係止部を軸にした前記第１被覆部材の傾動を規制することで、前記第２係止部の係止状態を解除できないようにしたことを特徴とする遊技機。
【請求項４】
遊技に関する所定の制御を司る制御手段及び電気部品との間で信号を送信又は受信を行うための端子部を具備してなる制御基板と、
前記端子部が露出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続されたケーブルコネクタのコネクタを覆うよう構成され、前記被包部材に係止される略鉤状の第１係止部及び前記被包部材に係止される第２係止部を有する第１被覆部材を、前記第１係止部を前記被包部材に係止させつつ、前記第２係止部を前記被包部材に係止させることで取付け、
前記第２係止部の係止状態を解除した場合に限り、前記第１係止部の係止状態の解除が許容され、前記第１被覆部材を取外すことができるよう構成され、
少なくとも前記第２係止部の係止状態の解除操作を行えないように、前記第１被覆部材を覆う第２被覆部材を、前記被包部材、前記相手先部材及び前記第１被覆部材のいずれか少なくとも１つに係止状態で取付けることで、前記第１被覆部材及び第２被覆部材を取外し不能としたことを特徴とする遊技機。
【請求項５】
遊技に関する所定の制御を司る制御手段及び電気部品との間で信号を送信又は受信を行うための端子部を具備してなる制御基板と、
前記端子部が露出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続されたケーブルコネクタのコネクタを覆うよう取付けられる第１被覆部材と、前記第１被覆部材を覆うように取付けられる第２被覆部材とを備え、
前記第１被覆部材は、
当該第１被覆部材の取付状態において、少なくとも前記ケーブルコネクタのコネクタの取外し方向側を覆うコネクタカバー本体部と、
前記コネクタカバー本体部から突出し、先端部に略鉤状の第１係止部を有する第１アーム部と、
前記コネクタカバー本体部又は前記第１アーム部から、前記第１アーム部の突出方向と略直交する方向に突出し、先端部に第２係止部を有する第２アーム部とを備え、
前記第１係止部を前記被包部材に係止させつつ、当該第１係止部を軸にして前記端子部側へ傾動させ、前記第２係止部を前記被包部材に係止させることで、前記被包部材に係止状態で取付けられるとともに、前記第２係止部の係止状態を解除した場合に限り前記第１係止部の係止状態の解除が許容され、取外すことができるよう構成され、
前記第２被覆部材を、前記被包部材、前記相手先部材及び前記第１被覆部材のいずれか少なくとも１つに係止状態で取付け、前記第１係止部を軸にした前記第１被覆部材の傾動を規制することで、前記第２係止部の係止状態を解除できないようにしたことを特徴とする遊技機。
【手続補正書】
【提出日】平成19年4月3日(2007.4.3)
【手続補正１】
【補正対象書類名】特許請求の範囲
【補正対象項目名】請求項１
【補正方法】変更
【補正の内容】
【請求項１】
バラ積み状態で球体（Ｂ）を保留する保留ボウル（１２２）、前記保留ボウルから球体を受け入れ、１つずつ送り出す送り出し装置（１２０）、前記送り出し装置から送り出された球体を列にして上方に案内する案内部（１２６）、前記案内部の出口に配置した検出部（１２８）、前記検出部の検出に基づいて前記送り出し装置を停止する制御部（１３０）、とを含む遊技機の球体送り出し装置。
【手続補正２】
【補正対象書類名】明細書
【補正対象項目名】０００６
【補正方法】変更
【補正の内容】
【０００６】
この目的を達成するため、請求項１の発明にかかる遊技機の球体送り出し装置は次のように構成されている。
バラ積み状態で球体を保留する保留ボウル、前記保留ボウルから球体を受け入れ、１つずつ送り出す送り出し装置、前記送り出し装置から送り出された球体を列にして上方に案内する案内部、前記案内部の出口に配置した検出部、前記検出部の検出に基づいて前記送り出し装置を停止する制御部、とを含む遊技機の球体送り出し装置である。
【手続補正３】
【補正対象書類名】明細書
【補正対象項目名】００２２
【補正方法】変更
【補正の内容】
【００２２】
次に、図２から図８を参照して送り出し部１２４を説明する。
送り出し部１２４は、分離部１４２、押出部１４４、駆動部１４６及び制動部１４８（図９参照）を含んでいる。
【手続補正４】
【補正対象書類名】明細書
【補正対象項目名】００２８
【補正方法】変更
【補正の内容】
【００２８】
分離ディスク１５２の裏面にも上押出条１７０が下押出条１６８に相対して形成されている。
これら分離ディスク１５２と押出ディスク１６４は、ボールベアリング１７２を挟んで一体化され、送出ディスク１７４を構成している。
したがって、下押出条１６８、上押出条１７０、分離ディスク１５２の下面及び押出ディスク１６４上面によって囲まれ、周面が開口した保持空間１７６（図７参照）が形成されている。
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
画像撮像装置により取得される被検体の断層像のボリュームデータを前記被検体に予め設定された被検体座標系に対応付けて記憶する記憶手段と、
超音波探触子の位置及び傾きを検出するセンサの検出値に基づいて、前記超音波探触子により撮像される超音波断層像のスキャン面の座標を前記被検体座標系に対応付けて算出する算出手段と、
前記超音波断層像のスキャン面に対応した断層像データを前記ボリュームデータから抽出してリファレンス断層像を再構成する抽出手段と、
前記超音波断層像と前記リファレンス断層像を表示する表示手段とを備え、
前記被検体座標系は、前記被検体の特定部位を原点として設定され、前記超音波断層像の撮像を開始する際に、前記超音波探触子を前記特定部位に対応する位置に保持して前記被検体座標系と前記スキャン面の座標を対応づけることを特徴とする超音波診断装置。
【請求項２】
前記リファレンス断層像は、前記超音波断層像のスキャン面の変化に追従して表示断面がリアルタイムに変化することを特徴とする請求項１に記載の超音波診断装置。
【請求項３】
前記ボリュームデータは、前記被検体の治療前に取得されるものとし、前記超音波断層像は、前記被検体の治療中又は治療後に撮像されることを特徴とする請求項１又は２に記載の超音波診断装置。
【請求項４】
前記画像撮像装置は、超音波撮像装置、Ｘ線ＣＴ装置、磁気共鳴撮像装置のいずれかであることを特徴とする請求項１乃至３のいずれかに記載の超音波診断装置。
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
軸線のまわりに回転可能な軸部を有するレバーと、
前記軸線のまわりに、前記軸部とともに回転する回転体と、
前記回転体の周りに配置されるスイッチと、を備え、
前記回転体には、凸部が形成され、
前記スイッチは、第１の金属プレートの先端部及び第２の金属プレートの先端部を接点とし、かつ、前記第１の金属プレートの基端部と前記第２の金属プレートの基端部とを電気的に絶縁した状態で固定することにより形成される、コントローラ。
【請求項２】
前記スイッチの前記第１の金属プレートの前記先端部には、接点の裏側に、前記凸部と接触する接触部が取り付けられ、
前記凸部は、その角部が曲面となるように、前記回転体に突出して形成される、請求項１記載のコントローラ。
【請求項３】
前記スイッチは、前記回転体の周りに複数配置され、
前記凸部は、前記複数のスイッチに対応して複数形成される、請求項１又は２記載のコントローラ。
【請求項４】
コントローラであって、
軸線のまわりに回転可能な軸部を有するレバーと、
前記軸線のまわりに、前記軸部とともに回転する回転体と、
前記回転体の周りに配置される複数のスイッチと、を備え、
前記回転体には、複数の凸部が形成され、
前記凸部は、前記回転体の回転に応じて、前記スイッチと接触し、前記凸部と接触した前記スイッチが導通し、
少なくとも２つの隣接する前記スイッチが、前記回転体の回転に依存して、同時に導通する場合と別個に導通する場合とが発生するように、前記複数の凸部及び前記複数のスイッチは配置され、
前記コントローラは、
前記少なくとも２つの隣接する前記スイッチが同時に導通した場合、所定規則に従って、いずれか１つの前記スイッチが有効であると決定するプロセッサをさらに備えるコントローラ。
【請求項５】
前記スイッチは、第１の金属プレートの先端部及び第２の金属プレートの先端部を接点とし、かつ、前記第１の金属プレートの基端部と前記第２の金属プレートの基端部とを電気的に絶縁した状態で固定することにより形成される、請求項４記載のコントローラ。
【請求項６】
前記スイッチは、リーフスイッチ、ラバースイッチ、又はマイクロスイッチである、請求項４記載のコントローラ。
【請求項７】
ゲームプログラムに従って、ビデオ信号およびオーディオ信号を生成するプロセッサをさらに備える請求項１から６のいずれかに記載のコントローラ。
【請求項８】
プレイヤの音声を入力するマイクをさらに備える請求項１から７のいずれかに記載のコントローラ。
【請求項９】
走行中の列車の運転席からの景色をテレビジョンモニタに表示するゲーム機であって、
ゲームプログラムに従って、前記テレビジョンモニタに出力するビデオ信号およびオーディオ信号を生成するプロセッサと、
回動可能に取り付けられたレバーと、
プレイヤにより押下され、所定の処理を前記プロセッサに実行させる第１スイッチと、を備え、
前記プロセッサは、前記レバーの操作に応じて出力される信号に応じたビデオ信号を生成する、ゲーム機。
【請求項１０】
前記レバーは、軸線のまわりに回転可能な軸部を有し、
前記ゲーム機は、
前記軸線のまわりに、前記軸部とともに回転する回転体と、
前記回転体の周りに配置される複数の第２スイッチと、をさらに備え、
前記回転体には、複数の凸部が形成され、
前記凸部は、前記回転体の回転に応じて、前記第２スイッチと接触し、前記凸部と接触した前記第２スイッチが導通し、
少なくとも２つの隣接する前記第２スイッチが、前記回転体の回転に依存して、同時に導通する場合と別個に導通する場合とが発生するように、前記複数の凸部及び前記複数の第２スイッチは配置され、
前記ゲーム機は、
前記少なくとも２つの隣接する前記第２スイッチが同時に導通した場合、所定規則に従って、いずれか１つの前記第２スイッチが有効であると決定するプロセッサをさらに備える請求項９記載のゲーム機。
【請求項１１】
前記第２スイッチは、リーフスイッチ、ラバースイッチ、又はマイクロスイッチである、請求項１０記載のゲーム機。
【請求項１２】
プレイヤの音声を入力するマイクをさらに備える請求項９から１１のいずれかに記載のゲーム機。
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
使用者の身体の２部位間に通電するための少なくとも一組の通電電極と、この２部位間の電位差を測定するための少なくとも一組の測定電極と、これら複数の電極が互いに絶縁して配設された面を有する本体とを備えてなる体組成測定装置であって、
前記複数の電極は、使用者の左右夫々の足裏に接触して両足間に通電すると共に両足間の電位差を測定すべく、前記通電電極と前記測定電極とが対をなして前記本体の上面に配設されていると共に、前記一組の通電電極の夫々が前記測定電極と身体との接触点を挟む複数の点で身体と接触し、且つ、前記一組の測定電極の夫々が前記通電電極と身体との接触点を挟む複数の点で身体と接触するように、前記本体の上面に配設されていることを特徴とする体組成測定装置。
【請求項２】
前記使用者の足裏に対をなして接触する通電電極と測定電極とは、夫々が上面視で櫛形に形成され、且つ、互いにその歯部を噛合せるように対向して配設されていることを特徴とする請求項１記載の体組成測定装置。
【請求項３】
前記使用者の足裏に対をなして接触する通電電極と測定電極とは、夫々が上面視で複数の小片に形成され、且つ、通電用の小片電極と測定用の小片電極とが交互に配設されていることを特徴とする請求項１記載の体組成測定装置。
【請求項４】
前記小片電極は、上面視で円形であることを特徴とする請求項３記載の体組成測定装置。
【請求項５】
前記小片電極は、上面視で棒形であることを特徴とする請求項３記載の体組成測定装置。
【手続補正２】
【補正対象書類名】明細書
【補正対象項目名】００１０
【補正方法】変更
【補正の内容】
【００１０】
本発明の体組成測定装置は、使用者の身体の２部位間に通電するための少なくとも一組の通電電極と、この２部位間の電位差を測定するための少なくとも一組の測定電極と、これら複数の電極が互いに絶縁して配設された面を有する本体とを備えてなる体組成測定装置であって、前記複数の電極は、使用者の左右夫々の足裏に接触して両足間に通電すると共に両足間の電位差を測定すべく、前記通電電極と前記測定電極とが対をなして前記本体の上面に配設されていると共に、前記一組の通電電極の夫々が前記測定電極と身体との接触点を挟む複数の点で身体と接触し、且つ、前記一組の測定電極の夫々が前記通電電極と身体との接触点を挟む複数の点で身体と接触するように、前記本体の上面に配設されているものである。
【手続補正３】
【補正対象書類名】明細書
【補正対象項目名】００１１
【補正方法】削除
【補正の内容】
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
膜基材を形成する疎水性ポリマーと、相分離を制御するための親水性ポリマーを溶媒に溶解させた製膜原液を用いて、非溶媒相分離法により多孔質膜を製造する方法であって、粘度平均分子量が５００，０００以下の親水性ポリマーを用いると共に、製膜原液中の親水性ポリマーの質量濃度を、疎水性ポリマーの質量濃度の１．３倍以上とする多孔質膜の製造方法。
【手続補正２】
【補正対象書類名】明細書
【補正対象項目名】０００９
【補正方法】変更
【補正の内容】
【０００９】
即ち本発明の要旨は、膜基材を形成する疎水性ポリマーと、相分離を制御するための親水性ポリマーを溶媒に溶解させた製膜原液を用いて、非溶媒相分離法により多孔質膜を製造する方法であって、粘度平均分子量が５００，０００以下の親水性ポリマーを用いると共に、製膜原液中の親水性ポリマーの質量濃度を、疎水性ポリマーの質量濃度の１．３倍以上とする多孔質膜の製造方法である。
【手続補正３】
【補正対象書類名】明細書
【補正対象項目名】００２４
【補正方法】変更
【補正の内容】
【００２４】
これに対し本発明者らは、親水性ポリマーとして、粘度平均分子量が５００，０００以下のものを用い、原液中の親水性ポリマーの質量濃度を、疎水性ポリマーの質量濃度の１．３倍以上とすることで、ろ過流量と分画特性に優れた３次元網目構造を有する多孔質膜を形成させることができることを見出した。
【手続補正４】
【補正対象書類名】明細書
【補正対象項目名】００２５
【補正方法】変更
【補正の内容】
【００２５】
これは、低分子量の親水性ポリマーの添加量を増加させることによって、絡み合い密度が増されたことと、ポリマー濃度が上昇したことでポリマーが束縛され、相分離する速度が遅くなったことが原因と推定される。製膜原液中のポリマー質量濃度としては、親水性ポリマーの種類や分子量にもよるが、疎水性ポリマーよりも多くすることが必要であり、疎水性ポリマーの１．３倍以上とすることが必要である。好ましくは１．５倍以上である。
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
金属薄板よりなり山部と谷部とが排ガス流れ方向と交差する方向に交互に連続する波状板と、耐熱性繊維が集積されてなるガス透過性の平板と、が交互に積層されてなり、該山部及び該谷部が排ガス流路を構成し、該平板がフィルタを構成する排ガス浄化フィルタ装置であって、
該波状板の上側に該平板が積層された部位において、
該谷部は谷深さが浅くなることで形成された凸状の中間山部を有し、該中間山部と隣接する両側の該山部と該山部に接する該平板とで流路が閉塞され排ガスを該フィルタへ導くフィルタ導入部を構成し、
該山部は山高さが低くなることで形成された凹状の中間谷部を有し、該中間谷部は隣接する該谷部から排ガスが分岐して流入可能な分岐部とその下流側で該山部に連通する開口とよりなり該フィルタ導入部に隣接する該排ガス流路へ分岐して該フィルタ導入部を迂回するフィルタ迂回部を構成し、
該フィルタ導入部内の圧力が高まった場合に、該谷部を流れる排ガスの少なくとも一部が該フィルタ導入部から該フィルタ導入部の上流側に存在する該フィルタ迂回部を通過して隣接する該山部に流入するように構成されたことを特徴とする排ガス浄化フィルタ装置
【請求項２】
前記フィルタ導入部の前記平板を介した反対側には、隣接する前記波状板の前記山部が存在している請求項１に記載の排ガス浄化フィルタ装置。
【請求項３】
前記波状板の下側に前記平板が積層された部位において、
前記谷部は谷深さが浅くなることで形成された凸状の中間山部を有し、該中間山部は隣接する前記山部から排ガスが分岐して流入可能な分岐部とその下流側で前記谷部に連通する開口とよりなる前記フィルタ迂回部を構成し、
前記山部は山高さが低くなることで形成された凹状の中間谷部を有し、該中間谷部と隣接する両側の前記谷部と前記谷部に接する前記平板とで流路が閉塞された前記フィルタ導入部を構成し、
該フィルタ導入部内の圧力が高まった場合に、前記山部を流れる排ガスの少なくとも一部が該フィルタ導入部から該フィルタ導入部の上流側に存在する該フィルタ迂回部を通過して隣接する前記谷部に流入するように構成された請求項１に記載の排ガス浄化フィルタ装置。
【請求項４】
前記フィルタ導入部の前記平板を介した反対側には、隣接する前記波状板の前記谷部が存在している請求項３に記載の排ガス浄化フィルタ装置。
【請求項５】
前記中間谷部及び前記中間山部は、前記山部又は前記谷部を変形させることで形成され、それぞれ上流側端部が底部又は頂部に向かって滑らかに連続している請求項１に記載の排ガス浄化フィルタ装置。
【請求項６】
前記フィルタ導入部における平面視での前記波状板の開口面積は、平面視における前記波状板の合計開口面積の30％以上である請求項１に記載の排ガス浄化フィルタ装置。
【請求項７】
前記フィルタ導入部の合計容積は、前記山部及び前記谷部の全合計容積の50％以上である請求項１に記載の排ガス浄化フィルタ装置。
【請求項８】
前記排ガス流路及び前記フィルタの少なくとも一方には、多孔質酸化物担体に貴金属を担持してなる触媒層が形成されている請求項１に記載の排ガス浄化フィルタ装置。
【手続補正２】
【補正対象書類名】明細書
【補正対象項目名】００１０
【補正方法】変更
【補正の内容】
【００１０】
上記課題を解決する本発明の排ガス浄化フィルタ装置の特徴は、金属薄板よりなり山部と谷部とが排ガス流れ方向と交差する方向に交互に連続する波状板と、耐熱性繊維が集積されてなるガス透過性の平板と、が交互に積層されてなり、山部及び谷部が排ガス流路を構成し、平板がフィルタを構成する排ガス浄化フィルタ装置であって、
波状板の上側に平板が積層された部位において、
谷部は谷深さが浅くなることで形成された凸状の中間山部を有し、中間山部と隣接する両側の山部と山部に接する平板とで流路が閉塞され排ガスをフィルタへ導くフィルタ導入部を構成し、
山部は山高さが低くなることで形成された凹状の中間谷部を有し、中間谷部は隣接する谷部から排ガスが分岐して流入可能な分岐部とその下流側で山部に連通する開口とよりなりフィルタ導入部に隣接する排ガス流路へ分岐してフィルタ導入部を迂回するフィルタ迂回部を構成し、
フィルタ導入部内の圧力が高まった場合に、谷部を流れる排ガスの少なくとも一部がフィルタ導入部からフィルタ導入部の上流側に存在するフィルタ迂回部を通過して隣接する山部に流入するように構成されたことにある。
【手続補正３】
【補正対象書類名】明細書
【補正対象項目名】００１１
【補正方法】削除
【補正の内容】
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
金属薄板よりなり山部と谷部とが排ガス流れ方向と交差する方向に交互に連続する波状板と、ガス透過性の平板と、が交互に積層されてなり、該山部及び該谷部が排ガス流路を構成し、少なくとも該平板がフィルタを構成する排ガス浄化フィルタ装置であって、
該波状板の上側に該平板が積層された部位において、
該谷部は谷深さが浅くなることで形成された凸状の中間山部を有し、該中間山部と隣接する両側の該山部と該山部に接する該平板とで流路が閉塞され排ガスを該フィルタへ導くフィルタ導入部を構成し、
該山部は山高さが低くなることで形成された凹状の中間谷部を有し、該中間谷部は隣接する該谷部から排ガスが分岐して流入可能な分岐部とその下流側で該山部に連通する開口とよりなり該フィルタ導入部に隣接する該排ガス流路へ分岐して該フィルタ導入部を迂回するフィルタ迂回部を構成し、
該フィルタ導入部内の圧力が高まった場合に、該谷部を流れる排ガスの少なくとも一部が該フィルタ導入部から該フィルタ導入部の上流側に存在する該フィルタ迂回部を通過して隣接する該山部に流入するように構成され、
該フィルタは、表裏を貫通する連通孔を備えた金属板に触媒金属が担持された多孔質酸化物を含む触媒層が形成されてなり、該連通孔は該触媒層によって孔径が 200μｍ以下に縮径又は閉塞されていることを特徴とする排ガス浄化フィルタ触媒。
【請求項２】
前記フィルタ迂回部は、前記フィルタ導入部に隣接する排ガス流路へ分岐している請求項１に記載の排ガス浄化フィルタ触媒。
【請求項３】
前記フィルタ迂回部は、前記フィルタ導入部と同じ排ガス流路内で分岐している請求項１に記載の排ガス浄化フィルタ触媒。
【請求項４】
前記波状板にも表裏を貫通する前記連通孔が形成されている請求項１に記載の排ガス浄化フィルタ触媒。
【請求項５】
前記フィルタ導入部の前記平板を介した反対側には、隣接する前記波状板の前記山部が存在している請求項１に記載の排ガス浄化フィルタ触媒。
【請求項６】
前記波状板の下側に前記平板が積層された部位において、
前記谷部は谷深さが浅くなることで形成された凸状の中間山部を有し、該中間山部は隣接する前記山部から排ガスが分岐して流入可能な分岐部とその下流側で前記谷部に連通する開口とよりなる前記フィルタ迂回部を構成し、
前記山部は山高さが低くなることで形成された凹状の中間谷部を有し、該中間谷部と隣接する両側の前記谷部と前記谷部に接する前記平板とで流路が閉塞された前記フィルタ導入部を構成し、
該フィルタ導入部内の圧力が高まった場合に、前記山部を流れる排ガスの少なくとも一部が該フィルタ導入部から該フィルタ導入部の上流側に存在する該フィルタ迂回部を通過して隣接する前記谷部に流入するように構成された請求項１に記載の排ガス浄化フィルタ装置。
【請求項７】
前記フィルタ導入部の前記平板を介した反対側には、隣接する前記波状板の前記谷部が存在している請求項６に記載の排ガス浄化フィルタ触媒。
【請求項８】
前記中間谷部及び前記中間山部は、前記山部又は前記谷部を変形させることで形成され、それぞれ上流側端部が底部又は頂部に向かって滑らかに連続している請求項１に記載の排ガス浄化フィルタ触媒。
【請求項９】
前記フィルタ導入部における平面視での前記波状板の開口面積は、平面視における前記波状板の合計開口面積の30％以上である請求項１に記載の排ガス浄化フィルタ触媒。
【請求項１０】
前記フィルタ導入部の合計容積は、前記山部及び前記谷部の全合計容積の50％以上である請求項１に記載の排ガス浄化フィルタ触媒。
【請求項１１】
金属薄板製で第１山部と第１谷部とが交互に連続する山谷部をもつ波状板と平板とが交互に積層されてなり、
該第１山部と該波状板の下側の平板とで形成された第１通路と、
該第１通路に形成され、下流側が上方に傾斜した第２谷部と該波状板の上側の平板からなる第１フィルタ導入部と、
該第２谷部と該波状板の下側の平板からなる第１フィルタ迂回部と、
該第１通路の両側の該第１谷部と該波状板の上側の平板とで形成された第２通路と、
該第２通路に形成され下流側が下方に傾斜した第２山部と該波状板の下側の平板からなる第２フィルタ導入部と、
該第２山部と該波状板の上側の平板からなる第２フィルタ迂回部と、を有し、
該第２谷部の底部の深さは該第１山部の頂部の高さより浅く、該第２山部の頂部の高さは該第１谷部の底部の深さより低い請求項１に記載の排ガス浄化フィルタ触媒。
【請求項１２】
前記第１フィルタ導入部から前記第２通路へ排ガスが流通可能な開口、又は、前記第２フィルタ導入部から前記第１通路へ排ガスが流通可能な開口の少なくとも一方をさらに有する請求項11に記載の排ガス浄化フィルタ触媒。
【手続補正２】
【補正対象書類名】明細書
【補正対象項目名】００１２
【補正方法】変更
【補正の内容】
【００１２】
上記課題を解決する本発明の排ガス浄化フィルタ装置の特徴は、金属薄板よりなり山部と谷部とが排ガス流れ方向と交差する方向に交互に連続する波状板と、ガス透過性の平板と、が交互に積層されてなり、山部及び谷部が排ガス流路を構成し、少なくとも平板がフィルタを構成する排ガス浄化フィルタ装置であって、
波状板の上側に平板が積層された部位において、
谷部は谷深さが浅くなることで形成された凸状の中間山部を有し、中間山部と隣接する両側の山部と山部に接する平板とで流路が閉塞され排ガスをフィルタへ導くフィルタ導入部を構成し、
山部は山高さが低くなることで形成された凹状の中間谷部を有し、中間谷部は隣接する谷部から排ガスが分岐して流入可能な分岐部とその下流側で山部に連通する開口とよりなりフィルタ導入部に隣接する排ガス流路へ分岐してフィルタ導入部を迂回するフィルタ迂回部を構成し、
フィルタ導入部内の圧力が高まった場合に、谷部を流れる排ガスの少なくとも一部がフィルタ導入部からフィルタ導入部の上流側に存在するフィルタ迂回部を通過して隣接する山部に流入するように構成され、
フィルタは、表裏を貫通する連通孔を備えた金属板に触媒金属が担持された多孔質酸化物を含む触媒層が形成されてなり、連通孔は触媒層によって孔径が 200μｍ以下に縮径又は閉塞されていることにある。
【手続補正３】
【補正対象書類名】明細書
【補正対象項目名】００１４
【補正方法】削除
【補正の内容】
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
表面凹凸を有するベース基材に紫外線硬化性の樹脂組成物をコーティングする方法であって、コーティング時は液の温度制御によりレベリング性を向上させた状態で平滑塗工面を形成し、コーティング後は塗工面形状を維持して硬化させる冷却工程を含むコーティング方法。
【請求項２】
コーティング時の前記樹脂組成物の粘度が50cPs以下である請求項１記載のコーティング方法。
【請求項３】
前記冷却処理後の前記樹脂組成物の粘度が3000cPs以上である請求項１または請求項２記載のコーティング方法。
【請求項４】
前記ベース基材として樹脂組成物からなるプラスチックシートもしくは無機充填材と樹脂組成物からなる複合基材を用い、請求項１〜３何れか一項記載のコーティング方法によりコーティングされた平滑化シート。
【請求項５】
表面凹凸が最大表面粗さで２００nm以下である請求項４記載の平滑化シート。
【請求項６】
透明である請求項４または請求項５記載の平滑化シート。
【請求項７】
前記ベース基材としてガラスを用い、請求項１〜３何れか一項記載のコーティング方法によりコーティングされた平滑化ガラス。
【請求項８】
表面凹凸が最大表面粗さで２００nm以下である請求項７記載の平滑化ガラス。
【請求項９】
透明である請求項７または請求項８記載の平滑化ガラス。
【請求項１０】
前記ベース基材として金属を用い、請求項１〜３何れか一項記載のコーティング方法によりコーティングされた平滑化金属板。
【請求項１１】
表面凹凸が最大表面粗さで２００nm以下である請求項１０記載の平滑化金属板。
【手続補正２】
【補正対象書類名】明細書
【補正対象項目名】０００７
【補正方法】変更
【補正の内容】
【０００７】
すなわち本発明は、
（１）表面凹凸を有するベース基材に紫外線硬化性の樹脂組成物をコーティングする方法であって、コーティング時は液の温度制御によりレベリング性を向上させた状態で平滑塗工面を形成し、コーティング後は塗工面形状を維持して硬化させる冷却工程を含むコーティング方法。
（２）コーティング時の前記樹脂組成物の粘度が50cPs以下である（１）記載のコーティング方法。
（３）前記冷却処理後の前記樹脂組成物の粘度が3000cPs以上である（１）または（２）記載のコーティング方法。
（４）前記ベース基材として樹脂組成物からなるプラスチックシートもしくは無機充填材と樹脂組成物からなる複合基材を用い、（１）〜（３）記載のコーティング方法によりコーティングされた平滑化シート。
（５）表面凹凸が最大表面粗さで２００nm以下である（４）記載の平滑化シート。
（６）透明である（４）または（５）記載の平滑化シート。
（７）前記ベース基材としてガラスを用い、（１）〜（３）記載のコーティング方法によりコーティングされた平滑化ガラス。
（８）表面凹凸が最大表面粗さで２００nm以下である（７）記載の平滑化ガラス    （９）透明である（７）または（８）記載の平滑化ガラス。
（１０）前記ベース基材として金属板を用い、（１）〜（３）記載のコーティング方法によりコーティングされた平滑化金属板。
（１１）表面凹凸が最大表面粗さで２００nm以下である（１０）記載の平滑化金属箔、平滑化金属シートもしくは平滑化金属板。
である。
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
カプセル形状の収納体に照明手段及び観察手段を内蔵したカプセル型内視鏡において、  前記カプセル形状の収納体内に前記観察手段の視野方向を変更する視野方向変更手段を設けたことを特徴とするカプセル型内視鏡。
【請求項２】
前記視野方向変更手段は、前記観察手段が取り付けられた取付部材の傾き角度を変更することにより、前記観察手段の視野方向を変更することを特徴とする請求項１に記載のカプセル型内視鏡。
【請求項３】
前記視野方向変更手段は、前記観察手段が取り付けられた取付部材を所定の軸方向の回りの回転角度を変更することにより、前記観察手段の視野方向を変更することを特徴とする請求項１に記載のカプセル型内視鏡。
【請求項４】
前記収納体における基端側端部に、前記収納体より細径のチューブ体を連設したことを特徴とする請求項１に記載のカプセル型内視鏡。
【請求項５】
照明手段と撮像手段とを設けたカプセル型内視鏡において、
前記カプセル型内視鏡の収納体の内部に配設されると共に、前記照明手段と前記撮像手段が設けられた第１のベース部材と、
前記収納体の中心軸に対して前記第１のベース部材を傾ける傾動部と、
を備えることを特徴とするカプセル型内視鏡。
【請求項６】
前記収納体の内部に配設される第２のベース部材と、
前記収納体の中心軸に対して前記第２のベース部材を回転させる回動部と、
を備えることを特徴とする請求項５に記載のカプセル型内視鏡。
【請求項７】
前記傾動部は、前記第１のベース部材と連結され、伸縮することにより前記第１のベース部材に設けられた撮像手段の撮像方向を変更するアクチュエータを備えることを特徴とする請求項５又は請求項６に記載のカプセル型内視鏡。
【請求項８】
照明手段と撮像手段とを設けたカプセル型内視鏡において、
前記カプセル型内視鏡の収納体の内部に配設されると共に、前記照明手段と前記撮像手段が設けられたベース部材と、
前記収納体の中心軸に対して前記ベース部材を回転させる回動部と、
を備えることを特徴とするカプセル型内視鏡。
【請求項９】
前記照明手段が複数個設けられ、それぞれが赤、緑、青、赤外の波長域で発光することを特徴とする請求項１から８のいずれか一つに記載のカプセル型内視鏡。
【手続補正２】
【補正対象書類名】明細書
【補正対象項目名】０００５
【補正方法】変更
【補正の内容】
【０００５】
請求項１に記載のカプセル型内視鏡は、カプセル形状の収納体に照明手段及び観察手段を内蔵したカプセル型内視鏡において、前記カプセル形状の収納体内に前記観察手段の視野方向を変更する視野方向変更手段を設けたことを特徴とする。
上記構成により、カプセル形状にして挿入性を確保すると共に、視野方向変更手段により観察手段の視野方向を変更できるようにして観察機能を向上している。
請求項５に記載のカプセル型内視鏡は、照明手段と撮像手段とを設けたカプセル型内視鏡において、前記カプセル型内視鏡の収納体の内部に配設されると共に、前記照明手段と前記撮像手段が設けられた第１のベース部材と、前記収納体の中心軸に対して前記第１のベース部材を傾ける傾動部と、を備えることを特徴とする。
請求項８に記載のカプセル型内視鏡は、照明手段と撮像手段とを設けたカプセル型内視鏡において、前記カプセル型内視鏡の収納体の内部に配設されると共に、前記照明手段と前記撮像手段が設けられたベース部材と、前記収納体の中心軸に対して前記ベース部材を回転させる回動部と、を備えることを特徴とする。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
始動条件成立に基づいて、遊技者にとって有利な遊技状態とするか否かを示す所定の表示演出を表示する第１表示手段を備えた遊技機において、
前記第１表示手段とは別の表示手段であって、前記第１表示手段による表示演出に関連する副次的な表示演出を表示する第２表示手段を備え、
さらに、前記第２表示手段の所定の動作を知らすための面発光を行う面発光手段を前記第２表示手段の周囲の所定箇所に備えている
ことを特徴とする遊技機。
【請求項２】
請求項１に記載の遊技機において、
前記第１表示手段の表示画面の周囲の所定箇所に配設される装飾手段を備え、
前記装飾手段は、当該装飾手段の所定箇所に前記第２表示手段と前記面発光手段とを視覚的に関連するように配設しており、
前記装飾手段は、正面視した状態において、前記第２表示手段の表示画面が前記第１表示手段の表示画面よりも手前側に位置させるようにして前記第１表示手段および前記第２表示手段を備え、
前記第２表示手段は、その表示画面が前記第１表示手段の表示画面よりも小さいものとしている
ことを特徴とする遊技機。
【請求項３】
請求項２に記載の遊技機において、
さらに、前記第２表示手段の周囲の所定箇所に、前記第１表示手段と前記第２表示手段の少なくとも一方に視覚的に関連させて点発光する点発光手段を備えており、
前記点発光手段は、点光源部と、前記点光源部に対して所定間隔を空けて対向配置され、前記点光源部からの光を一方の面側から入射させてその他方の面側から出射する光学レンズと、を備えている
ことを特徴とする遊技機。
【請求項４】
請求項３に記載の遊技機において、
前記面発光手段は、点光源部と、前記点光源部に対して所定間隔を空けて対向配置され、前記点光源部からの光を拡散させて出射する光拡散出射板と、を備え、前記光拡散出射板の板面を面発光させるものであり、
前記装飾手段は、当該装飾手段に対して着脱自在なユニット部を備え、
前記ユニット部は、前記第２表示手段と前記点発光手段と前記面発光手段の前記光拡散出射板とを収納するものであり、
前記ユニット部の前記光拡散出射板に対向する、前記装飾手段の箇所に、前記面発光手段の前記点光源部を備えている
ことを特徴とする遊技機。
【手続補正書】
【提出日】平成19年3月26日(2007.3.26)
【手続補正１】
【補正対象書類名】特許請求の範囲
【補正対象項目名】請求項１１
【補正方法】変更
【補正の内容】
【請求項１１】
前記第１機械方向および前記第２機械方向が前記不透液性シートの横方向に一致し、前記第４機械方向が前記不透液性シートの前記縦方向に一致しており、前記第１複合体を９０°回転させてから前記第１不透液性シートに載せる請求項９または１０に記載の製造方法。
【手続補正２】
【補正対象書類名】明細書
【補正対象項目名】００１８
【補正方法】変更
【補正の内容】
【００１８】
請求項１１に係る第２発明の実施態様の他の一つにおいて、前記第１機械方向および前記第２機械方向が前記不透液性シートの横方向に一致し、前記第４機械方向が前記不透液性シートの前記縦方向に一致しており、前記第１複合体を９０°回転させてから前記第１不透液性シートに載せる。この態様の製造方法によれば、おむつの横方向が第１機械方向と第２機械方向とに一致しているから、おむつに対してその横方向へ連続して延びる弾性部材の取り付けが容易になる。
【手続補正３】
【補正対象書類名】明細書
【補正対象項目名】００２４
【補正方法】変更
【補正の内容】
【００２４】
（１）前記第１内面と前記第１外面とを有する前記不透液性シートの連続体を第１機械方向へ連続的に供給する工程
（２）前記連続体における前記不透液性シートの前記前胴周り域と後胴周り域と股下域とになるべき部位のうちの少なくとも前記後胴周り域と股下域とになるべき部位における前記第１内面に前記第１体液吸収部を取り付ける工程
（３）前記連続体における前記不透液性シートの前記前胴周り域と前記股下域とになるべき部位に前記第２体液吸収部を前記第２外面が前記股下域で前記第１体液吸収部の前記第１内面と向かい合うようにして載せて、前記股下域において前記第２体液吸収部の前記縁部を前記横方向に位置する前記第１体液吸収部の縁部および前記横方向において前記第１体液吸収部の縁部の外側に位置する前記連続体のいずれかに接合する工程
（４）前記第１体液吸収部と前記第２体液吸収部とを取り付けた前記連続体に対して、前記股下域となるべき部位から前記前胴周り域と前記後胴周り域とになるべき部位とに向かって延び、その延びる方向に弾性的に伸長収縮可能であって互いに平行する内側縁部と外側縁部とを有する帯状材料で形成された一対の防漏カフ用部材を伸張状態で供給し、前記股下域において前記部材それぞれの前記外側縁部を前記第１体液吸収部および前記第２体液吸収部の縁部外側で前記連続体に取り付けるとともに、前記部材それぞれの前記内側縁部で前記第１体液吸収部および前記第２体液吸収部の縁部を覆う工程
（５）次のａ，ｂの少なくとも一方によって前記離間させる手段が形成される工程
ａ．前記連続体における前記不透液性シートの前記股下域となるべき部位で、伸張状態にある前記防漏カフ用部材の前記内側縁部の一部分を前記一部分が覆っている前記第２体液吸収部の一部分に対して接合する工程
ｂ．前記連続体における前記不透液性シートの前記股下域となるべき部位で、前記第１体液吸収部と前記第２体液吸収部とをこれら両部に挟まれた状態で横断する帯状弾性スペーサを伸張して前記第１体液吸収部および前記第２体液吸収部の少なくとも一方の前記縁部それぞれに取り付ける工程
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
複数種の絵柄が変動表示される絵柄表示手段と、
前記絵柄表示手段の変動を開始させるべく操作される始動操作手段と、
前記絵柄表示手段の変動を停止させるべく操作される停止操作手段と、
前記始動操作手段の操作に基づいて前記絵柄表示手段の変動を開始させ、前記停止操作手段の操作に基づいて前記絵柄表示手段の変動を停止させるように、前記絵柄表示手段を駆動制御する駆動制御手段と、
前記絵柄表示手段の変動が停止した場合に、予め定めた有効位置における停止絵柄の組合せに応じた数の遊技媒体を払い出す払出手段と、
遊技者に有利な特別遊技状態の抽選を行う特別抽選手段と、
無償で次回のゲームを行うことのできる再遊技ゲームの抽選を行う再遊技抽選手段と、
を備え、
前記特別抽選手段により当選とされ且つ停止絵柄の組合せが特別絵柄の組合せである場合に特別遊技状態を実行し、前記再遊技抽選手段により当選とされ且つ停止絵柄の組合せが再遊技絵柄の組合せである場合に再遊技ゲームを実行するように構成された遊技機であって、
前記再遊技抽選手段による再遊技ゲームの当選確率を高くした状態と低くした状態とに変更可能であり、前記特別遊技状態の終了に引き続いて前記再遊技ゲームの当選確率を高くした状態に変更する確率変更手段と、
遊技状況を表示演出する表示演出手段と、
前記表示演出手段における前記特別遊技状態中の表示演出が、前記確率変更手段により前記特別遊技状態の終了に引き続いて前記再遊技ゲームの当選確率を高くした状態に変更された状態中において継続して実行されるように、前記表示演出手段を表示制御する表示制御手段と、
を備えたことを特徴とする遊技機。
【請求項２】
前記特別遊技状態は、前記払出手段により払い出された遊技媒体数が予め定められた数以上となった場合に終了するものである請求項１に記載の遊技機。